(57)【要約】【課題】  大腿の希望する位置に正確にサブユニットを位置合わせでき、大腿の膝に近い部分から腰に近い部分までの広い範囲を確実にマッサージできるフットマッサージャーを提供する。【解決手段】  ふくらはぎ及び足先を挿入可能な左右一対の凹部２２を有する本体ケーシング２１と、凹部２２に配備された本体マッサージ手段３２、３３と、を有する本体ユニット２０と、本体ユニット上に支持され、左右一対の凹部４２を有するサブケーシング４１と、凹部４２に配備されたサブマッサージ手段３５と、を有する有するサブユニット４０とを具え、サブケーシング４１を本体ケーシング２１に対して前後にスライド可能に支持する。サブケーシング４１を前後にスライドして大腿の希望する患部に位置合わせする。【選択図】図１
2012165985.tif 000002
【特許請求の範囲】
【請求項１】
被施療者のふくらはぎ及び足先を挿入可能な左右一対の凹部の形成された本体ケーシングと、本体ケーシングの凹部に配備され、被施療者のふくらはぎ及び／又は足先にマッサージを施す本体マッサージ手段と、を有する本体ユニットと、
本体ユニット上に支持されるサブケーシングと、該サブケーシングに形成された左右一対の凹部と、該凹部に配備され、被施療者の患部をマッサージするサブマッサージ手段と、を有する有するサブユニットと、
を具えたフットマッサージャーであって、
サブケーシングは本体ケーシングに対して前後にスライド可能に支持されていることを特徴とするフットマッサージャー。
【請求項２】
前記サブケーシングを本体ケーシングに対して最も前方へ位置させた場合には、サブケーシングの左右一対の凹部は、被施療者の大腿の前方を含む膝関節の周囲及び／又はふくらはぎの上部を囲み、後方へ位置させた場合は、被施療者の大腿の中央部から腰に近い部分を囲んで、夫々マッサージするようにした請求項1に記載のフットマッサージャー。
【発明の詳細な説明】
【技術分野】
【０００１】
本発明は、被施療者の脚部、具体的には、被施療者の膝から下と、膝関節周囲や大腿をマッサージすることのできるフットマッサージャーに関するものである。
【背景技術】
【０００２】
被施療者の脚部をマッサージするフットマッサージャーが知られている。この種フットマッサージャーとして、被施療者のふくらはぎと足先(くるぶしより下)を挿入する左右一対の凹部を有し、該凹部にエアバッグ等のマッサージ手段を配備したものが提案されており、マッサージ手段を作動させることで、被施療者のふくらはぎと足先にマッサージを施す。
【０００３】
また、被施療者のふくらはぎ及び足先に加えて、被施療者の大腿をマッサージできるようにしたフットマッサージャーも提案されている(例えば、特許文献１参照)。
【０００４】
特許文献１のフットマッサージャーは、ふくらはぎ及び足先を挿入する凹部を具えた本体ユニットと、該本体ユニットの上端に前後方向に平行な面内で回動可能に配備された凹部を具えたサブユニットを有しており、サブユニットを前方に回動させたときには、膝関節の周囲のマッサージを施すことができ、後方にサブユニットを回動させたときには、サブユニットの凹部で大腿のマッサージを施すことができる。
【先行技術文献】
【特許文献】
【０００５】
【特許文献１】中国実用新案公告第２０１３４２０７７号
【発明の開示】
【発明が解決しようとする課題】
【０００６】
特許文献１では、本体ユニットに対してサブユニットが前後に回動するので、回動に伴ってその高さが変化し、椅子に座った状態でほぼ水平になる被施療者の大腿の希望する位置に正確にサブユニットを位置合わせすることが難しかった。
また、例え、大腿にサブユニットを位置合わせできたとしても、サブユニットの揺動可能範囲は軸支部分を中心とした円弧範囲に限られるため、大腿の膝に近い部分から腰に近い部分までの広い範囲を自由に位置合わせしてマッサージすることはできなかった。
【０００７】
本発明の目的は、大腿の希望する位置に正確にサブユニットを位置合わせすることができ、大腿の膝に近い部分から腰に近い部分までの広い範囲を確実にマッサージできるフットマッサージャーを提供することである。
【課題を解決するための手段】
【０００８】
上記課題を解決するために、本願発明のフットマッサージャーは、
被施療者のふくらはぎ及び足先を挿入可能な左右一対の凹部の形成された本体ケーシングと、本体ケーシングの凹部に配備され、被施療者のふくらはぎ及び／又は足先にマッサージを施す本体マッサージ手段と、を有する本体ユニットと、
本体ユニット上に支持されるサブケーシングと、該サブケーシングに形成された左右一対の凹部と、該凹部に配備され、被施療者の患部をマッサージするサブマッサージ手段と、を有する有するサブユニットと、を具えたフットマッサージャーであって、
サブケーシングは本体ケーシングに対して前後にスライド可能に支持されたものである。
【０００９】
そして、サブケーシングを本体ケーシングに対して前方へ位置させた場合には、サブケーシングの左右一対の凹部は、被施療者の大腿の前方を含む膝関節の周囲及び／又はふくらはぎの上位を囲み、後方へ位置させた場合は、被施療者の大腿の中央部から腰に近い部分を囲んで、夫々マッサージするようにしたものである。
【発明の効果】
【００１０】
本願発明によると、本体ユニットでふくらはぎや足先をマッサージできると共に、サブケーシングを本体ケーシングに対して後方へスライドさせることにより、サブユニットを大腿のマッサージを希望する患部に正確に位置合わせすることができ、大腿の膝に近い部分から腰に近い部分までの広い範囲を自由に位置合わせしてマッサージすることができる。
【図面の簡単な説明】
【００１１】
【図１】本発明のフットマッサージャーを斜め前方から見た斜視図である。
【図２】同フットマッサージャーの側面図で、サブユニットが前方へ位置している状態を示す。
【図３】同フットマッサージャーの側面図で、サブユニットが後方へ位置している状態を示す。
【図４】図１のＡ−Ａ線に基づいた断面図において、サブユニットを前方へ位置させ、マッサージしている状態を示す説明図である。
【図５】図１のＡ−Ａ線に基づいた断面図において、サブユニットを後方へ位置させ、マッサージしている状態を示す説明図である。
【図６】スライド機構部の側面図である。
【図７】スライド機構部の斜視図である。
【発明を実施するための形態】
【００１２】
図１乃至図３は、本発明のフットマッサージャー１０を示している。
【００１３】
フットマッサージジャー１０は、床面に載置されるベース１１に被施療者の足先とふくらはぎをマッサージする本体ユニット２０を搭載し、該本体ユニット２０の上端にサブユニット４０を本体ユニット２０に対して前後方向にスライド可能に支持したものである。
【００１４】
本発明において、脚部Ｌとは、被施療者の下肢全体を意味し、大腿とは脚部の膝よりも上の部分、膝関節とは膝の屈曲部分及びその周辺、ふくらはぎとは膝と足首の間であって、脛の裏側部分、足先とはくるぶしよりも下の部分を意味する。
【００１５】
ベース１１は、内部中空の樹脂製のベースケーシング１２から形成され、上部にて本体ユニット２０を支持し、下面にて安定してフットマッサージャー１０を床面に載置する。
ベースケーシング１２の内部には、図示しないが、エアポンプ、制御手段、商用電源へ接続するための電源ユニット等が収容される。
【００１６】
本体ユニット２０は、ベース１１上に載置される。本体ユニット２０は、内部中空の樹脂製の本体ケーシング２１を有している。本体ケーシング２１は、ベース１１に対して、固定して配備してもよいし、後部上端が後方に向けて倒れる方向にリクライニング可能に配備することもできる。リクライニング方式の場合、リクライニング機構には、本体ケーシング２１を任意の位置で静止させるためにロック機構（図示せず）が具えられる。
【００１７】
本体ケーシング２１は、図１及び図４に示すように、下側が前方に向けて突出し、後側が上向きに突出している。本体ケーシング２１には、被施療者の足先及びふくらはぎを挿入する左右一対の凹部２２、２２が形成されている。各凹部２２は、図１に示すように、本体ケーシング２１がベース１１に対してほぼ垂直に立設した状態で、底面２３が床面とほぼ平行となり、底面２３の後端から上方に向けてほぼ垂直に後面２４を有し、底面２３と後面２４の側部を結ぶように内側面２５と外側面２６を有しており、前方及び上方が開口した形状を例示できる。
【００１８】
本体ユニット２０に被施療者が足を挿入したときに、各凹部２２の底面２３には、被施療者の足裏が当接し、後面２４にはふくらはぎが当接し、内側面２５及び外側面２６には、ふくらはぎの内側及び外側が夫々当接する。
【００１９】
各凹部２２の底面２３には、本体マッサージ手段として、被施療者の足裏をマッサージする足裏用マッサージ手段３０（図４参照）を具える。足裏用マッサージ手段３０は、底面２３から出没可能な指圧子３１を有している。指圧子３１は、本体ケーシング２１の内部に配備されたモータ(図示せず)により、ネジ推力等を利用して前後に往復移動可能なエアバッグ(図示せず)の上面に形成することができる。エアバッグを膨張、収縮させながら、モータにより前後に指圧子３１を往復させることで、被施療者の足裏に押圧又は指圧マッサージが施される。
【００２０】
各凹部２２の後面２４には、本体マッサージ手段として、膨張・収縮し、被施療者のふくらはぎをマッサージする、ふくらはぎ用後面エアバッグ（図示せず）が配備される。各凹部２２の内側面２５及び外側面２６には、本体マッサージ手段として、被施療者のふくらはぎの側部をマッサージする、ふくらはぎ用の内側エアバッグ３２と外側エアバッグ３３が夫々配備される。
【００２１】
なお、本体ユニット２０の凹部２２には、エアバッグ３２、３３、指圧子３１を覆う布カバーが設けられている。
【００２２】
本体ケーシング２１上には、サブユニット４０が本体ケーシング２１に対してスライド機構６０により前後方向にスライド可能に支持されている。
【００２３】
スライド機構６０は、本体ケーシング２１の左右両側壁上面に固定された前後に延びるスライドレール６１と、サブユニット４０の左右両側壁下面に固定され、スライドレール６１に前後にスライド自在に嵌るスライドフレーム６２より構成される。スライドレール６１は、図７のように内側に窪んだ断面コ字型で、その下端には上向き折曲片６３を有しており、スライドフレーム６２は外側に窪んだ断面コ字型で、その下端には下向き折曲片６４が形成されており、下向き折曲片６４が上向き折曲片６３の内側で係合することにより、スライドフレーム６２がスライドレール６１内を外れることなく前後にスライドする。スライドレール６１の前後両端には、スライドフレーム６２のスライド範囲を規制するストッパー６５が形成されている。
【００２４】
サブユニット４０は、内部中空の樹脂製のサブケーシング４１を有しており、サブケーシング４１の左右両側壁下面に、前記スライドフレーム６２が固定されており、スライドフレーム６２がスライドレール６１内をスライドすることにより、サブユニット４０は、本体ユニット２０に対して前後方向にスライドする。
【００２５】
またサブケーシング４１には、左右一対の凹部４２、４２が形成されている。両凹部４２、４２は中央壁４４で仕切られており、この中央壁４４に、被施療者がフットマッサージジャー１０を操作する操作部６５が設けられている。
【００２６】
各凹部４２の左右両側面には、サブマッサージ手段として、膨張・収縮するサブ用側面エアバッグ３５、３５が配備され、この側面エアバッグ３５、３５が膨張することにより、凹部４２に挿入されるふくらはぎの上部側面や膝関節の周囲、あるいは大腿を側面から押圧してマッサージする。
【００２７】
各凹部４２には、前記側面エアバッグ３５の他に、凹部４２の左右両側面を連結する凹部４２の底面４６にも、エアバッグ等のマッサージ手段を配備してもよい。
【００２８】
サブユニット４０の凹部４２も、側面エアバッグ３５を覆う布カバーが設けられている。
【００２９】
前記各エアバッグ３２、３３、３５は、ベースケーシング１２内のエアポンプ（図示せず）から空気を供給されて膨張し、外部へ排出されることにより収縮する。サブケーシング４１のエアバッグ３５へは、例えば、スライドフレーム６２内をパイプ（図示せず）を通し、このパイプを介して空気を供給すればよい。この場合、断面コ字型のスライドレール６１の底面には前後方向の長孔を形成し、この長孔を介してパイプを本体ケーシング２１側へ導くようにする。
【００３０】
上記構成のフットマッサージジャー１０は、被施療者が椅子等に腰掛けた状態で、脚部Ｌを挿入することにより使用する。
【００３１】
具体的には、図１、図４に示すように、本体ユニット２０に対してサブユニット４０が前方に位置した状態で使用する場合、本体ユニット２０の各凹部２２に左右の脚部Ｌの足先及びふくらはぎを挿入し、サブユニット４０の各凹部４２に大腿の前方を含んだ膝関節の周囲及び／又はふくらはぎの上部を挿入する。
【００３２】
この状態で、操作部６５を操作して、被施療者が所望する足裏用マッサージ手段３０や各エアバッグ３２、３３、３５等を作動させ、又は予めプログラムされたコースに従って足裏用マッサージ手段３０や各エアバッグ３２、３３、３５等を作動させることにより、足裏を含む足先やふくらはぎ、膝関節の周囲（大腿の前方を含む）及び／又はふくらはぎの上部にマッサージを施すことができる。
【００３３】
具体的には、ふくらはぎ用の内側エアバッグ３２と外側エアバッグ３３を膨張させつつ、足裏用マッサージ手段３０を作動させることにより、被施療者の足裏に指圧の如き押圧マッサージが施される。
【００３４】
また、ふくらはぎ用の内側エアバッグ３２と外側エアバッグ３３を膨張させることにより、ふくらはぎが側方から押圧され、これらエアバッグ３２、３３の膨張、収縮を繰り返すことで、ふくらはぎの血行を促進させることができる。
【００３５】
また、これらエアバッグ３２、３３を交互に膨張、収縮させることにより、ふくらはぎを左右に動かすストレッチ効果のあるマッサージを施すことができる。
【００３６】
ふくらはぎ用の内側エアバッグ３２と外側エアバッグ３３を膨張させた状態で、ふくらはぎ用後面エアバッグ（図示せず)を膨張させることで、ふくらはぎの血行の促進を図ることができる。
【００３７】
さらに、サブユニット４０のサブ用側面エアバッグ３５、３５を膨張、収縮させることにより、大腿の前方を含む膝関節の周辺及び／又はふくらはぎの上部の血行を促進させることができる。
【００３８】
被施療者が大腿の中央から腰に近い部分をマッサージしたい場合は、図３、５のように、サブユニット４０を本体ユニット２０に対して後方へスライドさせることにより、マッサージしたい患部にサブ用側面エアバッグ３５を当てて、マッサージすることができる。この場合、椅子に座った状態で被施療者の大腿はほぼ水平になっているが、サブユニット４０は後方へ移動するだけでその高さは変化しない。従って、大腿の膝に近い位置から腰に近い位置までの希望する位置に、正確にサブ用側面エアバッグ３５を当てることができ、希望するマッサージを得ることができ。
【００３９】
また、本体ユニット２０が、ベース１１に対してリクライニング可能になっている場合は、本体ユニット２０を後方へリクライニングすることにより、寝転んだ状態で、マッサージすることができる。
【００４０】
以上、本発明の実施形態につき説明したが、本発明の範囲はこれに限定されるものではなく、発明の主旨を逸脱しない範囲で種々の変更を加えて実施することができる。
【００４１】
例えば、本体マッサージ手段やサブマッサージ手段としてエアバッグを用いているが、他のマッサージ手段、例えばバイブレータや、ローラにより刺激を与えるものでもよい。
【００４２】
また、足裏マッサージ手段の指圧子を前後に移動するのに、モータを利用しているが、モータの代わりに、足裏の前後に指圧子を挟んでエアバッグを配置して、この前後のエアバッグの膨張収縮により、指圧子を前後に移動するようにしてもよい。この場合、駆動源として、マッサージ手段のエアバッグ３２、３３、３５を膨張させるエアポンプを用いることができる。
【産業上の利用可能性】
【００４３】
本発明はサブユニットにより膝関節の周囲や大腿をマッサージできるフットマッサージャーとして広く利用可能である。
【符号の説明】
【００４４】
１０  フットマッサージャー
２０  本体ユニット
２１  本体ケーシング
２２  本体ユニット側の凹部
３２  内側エアバッグ（本体マッサージ手段）
３３  外側エアバッグ（本体マッサージ手段）
３５  側面エアバッグ（サブマッサージ手段）
４０  サブユニット
４１  サブケーシング
４２  サブユニット側の凹部
６０  スライド機構
６１  スライドレール
６２  スライドフレーム
【図１】
2012165985.tif 000003
【図２】
2012165985.tif 000004
【図３】
2012165985.tif 000005
【図４】
2012165985.tif 000006
【図５】
2012165985.tif 000007
【図６】
2012165985.tif 000008
【図７】
2012165985.tif 000009